(57)【要約】【課題】  トラバースアッシーを引き込み動作させることはできなかった。【解決手段】  チャッキング動作でレバーシフト３０が下から上へ移動をしていくと、レバーシフト３０のボス側リブ３１ａ１はローダーシャーシ１０のローダー側リブ１２ａ１に近づいていき、チャッキング完了直前に両傾斜面３１ａ１ａ，１２ａ１ａは当接し、固定されているローダーシャーシ１０のローダー側リブ１２ａ１に対して、レバーシフト３０の側であるボス側リブ３１ａ１が傾斜面の摺動によって前方側に引き込み動作される。同時に、レバーシフト３０のスライド突起３２ａ，３２ｂはスライド溝１３ａ，１３ｂ内部の棚部１３ａ１，１３ｂ１に載置される。【選択図】  図３
2011129235.tif 000002
【特許請求の範囲】
【請求項１】
上面が開口する薄箱形のローダーシャーシと、
このローダーシャーシに収容され、一の辺の近辺にて他端を上下に揺動可能なように回動可能に支持されると共に、同他端の辺にはカム機構を構成するレバーシフトが形成されたトラバースアッシーと、
上記ローダーシャーシに対してスライド可能に支持されると共に、上記レバーシフトと係合して上記カム機構を構成するカムスライダと、
上記トラバースアッシーにてダンパを介して支持される光ドライブユニットとからなり、上記カムスライダの往復動動作により上記レバーシフトは鉛直方向に上下動し、上記トラバースアッシーを、その一端を回動軸として、水平状態のチャッキング状態と、これよりも下がった斜めの傾斜状態の開放状態との間で往復動動作させる光ディスクドライブ装置であって、
上記レバーシフトが上昇移動してチャッキング完了する際に、上記ローダーシャーシと上記レバーシフトとがガイド機構を介して同レバーシフトを上記回動軸と反対の側に引き込み動作させることを特徴とする光ディスクドライブ装置。
【請求項２】
上記レバーシフトは、上記カム機構の一方として上記回動軸の側と反対の側に向けて突出するボスを有し、上記カムスライダは、鉛直方向の鉛直壁面を有し、上記鉛直壁面を上記レバーシフトに対面して平行に直線移動可能であり、かつ、同鉛直壁面には上記ボスにて貫通される上記カム機構の他方としてのカム溝が形成され、同カム溝は一端にて上記鉛直壁面の下部側に位置し、同位置より斜めに上方に傾斜して形成され、最上位置にて略水平となるように形成され、
上記ガイド機構は、上記ボスの先端にはボス側リブを形成するとともに、上記ローダーシャーシの側には同ボス側リブに対応するローダー側リブを形成し、
上記レバーシフトが上昇する際に最上位置の手前でボス側リブとローダー側リブとが、いずれかあるいは両方に設けた傾斜面で当接し始め、
上記レバーシフトが上昇する際に最上位置に至る過程でボス側リブとローダー側リブとが傾斜面での摺動動作により、同レバーシフトを引き込み動作させることを特徴とする請求項１に記載の光ディスクドライブ装置。
【請求項３】
引き込み動作完了後、ボス側リブとローダー側リブとは互いに鉛直面同士で対面する請求項２に記載の光ディスクドライブ装置。
【請求項４】
上記ボスは二本形成され、上記カム溝も対応して二つ形成され、上記ボス側リブとローダー側リブが互いに傾斜面で当接するのは、二本あるボスのうち一方でのみ行われることを特徴とする請求項２または請求項３に記載の光ディスクドライブ装置。
【請求項５】
上記レバーシフトは、上記ボスの突出方向と直交する方向であって上記回動軸と平行な方向にスライド突起を突出して形成され、
上記ローダーシャーシは、同スライド突起を受け入れつつ同スライド突起の上下動を許容するスライド溝が形成され、
同スライド溝には、上記レバーシフトが最上位置となった時に上記スライド突起を載置可能な棚部が形成され、上記レバーシフトが上記引き込み動作することで上記スライド突起が上記棚部に載置されることを特徴とする請求項１〜請求項４のいずれかに記載の光ディスクドライブ装置。
【請求項６】
上記スライド溝は、ローダーシャーシに形成した当該ローダーシャーシの固定部位の近辺に形成されていることを特徴とする請求項５に記載の光ディスクドライブ装置。
【請求項７】
上面が開口する薄箱形のローダーシャーシと、
このローダーシャーシに収容され、一の辺の近辺にて他端を上下に揺動可能なように回動可能に支持されると共に、同他端の辺にはカム機構を構成するレバーシフトが形成されたトラバースアッシーと、
上記ローダーシャーシに対してスライド可能に支持されると共に、上記レバーシフトと係合して上記カム機構を構成するカムスライダと、
上記トラバースアッシーにてダンパを介して支持される光ドライブユニットとからなり、上記カムスライダの往復動動作により上記レバーシフトは鉛直方向に上下動し、上記トラバースアッシーを、その一端を回動軸として、水平状態のチャッキング状態と、これよりも下がった斜めの傾斜状態の開放状態との間で往復動動作させる光ディスクドライブ装置であって、
上記レバーシフトは、上記カム機構の一方として上記回動軸の側と反対の側に向けて突出するボスを有し、上記カムスライダは、鉛直方向の鉛直壁面を有し、上記鉛直壁面を上記レバーシフトに対面して平行に直線移動可能であり、かつ、同鉛直壁面には上記ボスにて貫通される上記カム機構の他方としてのカム溝が形成され、同カム溝は一端にて上記鉛直壁面の下部側に位置し、同位置より斜めに上方に傾斜して形成され、最上位置にて略水平となるように形成され、
上記レバーシフトが上昇移動してチャッキング完了する際に、上記ローダーシャーシと上記レバーシフトとがガイド機構を介して同レバーシフトを上記回動軸と反対の側に引き込み動作させるにあたり、
上記ガイド機構は、上記ボスの先端にはボス側リブを形成するとともに、上記ローダーシャーシの側には同ボス側リブに対応するローダー側リブを形成し、
上記レバーシフトが上昇する際に最上位置の手前でボス側リブとローダー側リブとが、いずれかあるいは両方に設けた傾斜面で当接し始め、
上記レバーシフトが上昇する際に最上位置に至る過程でボス側リブとローダー側リブとが傾斜面での摺動動作により、同レバーシフトを引き込み動作させ、
引き込み動作完了後、ボス側リブとローダー側リブとは互いに鉛直面同士で対面し、
かつ、上記ボスは二本形成され、上記カム溝も対応して二つ形成され、上記ボス側リブとローダー側リブが互いに傾斜面で当接するのは、二本あるボスのうち一方でのみ行われ、
上記レバーシフトは、上記ボスの突出方向と直交する方向であって上記回動軸と平行な方向にスライド突起を突出して形成され、
上記ローダーシャーシは、同スライド突起を受け入れつつ同スライド突起の上下動を許容するスライド溝が形成され、
同スライド溝には、上記レバーシフトが最上位置となった時に上記スライド突起を載置可能な棚部が形成され、上記レバーシフトが上記引き込み動作することで上記スライド突起が上記棚部に載置され、
上記スライド溝は、ローダーシャーシに形成した当該ローダーシャーシの固定部位の近辺に形成されていることを特徴とする光ディスクドライブ装置。
【発明の詳細な説明】
【技術分野】
【０００１】
本発明は、平板状記録担体である光ディスクを用いる光ディスクドライブ装置に関し、特に、トレイロックとトラバースアッシー昇降の切替動作を行うカムスライダとレバーシフトを備え、光ディスク媒体の供給案内構造における好ましくない振動を遮断または吸収する構造に関する。
【背景技術】
【０００２】
光ディスクドライブ装置として、トレイロックとトラバースアッシー昇降の切替動作を行うカムスライダとレバーシフトを備えたものが知られている。
このような光ディスクドライブ装置として、以下のものが知られている。
特許文献１は、特にトラバースメカ及びギア部の組付構造に関して、簡単な構成で、小型化、部品の簡素化、及び作業性改善を図ったディスク装置を開示する。特に、同公報には、ダンパー（１３）がトラバースメカ（２）の前側に２コと後側に２コ設けられており、前側の２コのダンパーはレバーシフト（７）のボス（７ｄ）にビス（１２）により止められている旨の記載がある。
【０００３】
特許文献２は、ローダーシャーシの構造を僅かに変更するだけで、コストアップを招くことなく、偏重心光ディスクの高速回転時におけるトラバースシャーシとローダーシャーシの共振を抑えることができる光ディスク装置を開示する。レバーシフトにダンパを設ける構成ではない。
特許文献３は、振動特性、特に防振性の向上と、トラバースシャーシの姿勢の安定化を図った光ディスク装置を開示する。
【先行技術文献】
【特許文献】
【０００４】
【特許文献１】特開２００７−１８６６４号公報
【特許文献２】特開２００８−２８２４４５号公報
【特許文献３】実登３１２８６１９号公報
【発明の概要】
【発明が解決しようとする課題】
【０００５】
上述した従来のものは、トラバースアッシーを昇降させる基本的な構造のみ示すものであり、トラバースアッシーを引き込み動作させることはできなかった。
本発明は、トラバースアッシーを昇降させる部品であるレバーシフトにおいて、チャッキング後の位置／姿勢保持を部品の追加をせずに行い、昇降中は負荷とならない構造を提案する。
【課題を解決するための手段】
【０００６】
本発明は、上面が開口する薄箱形のローダーシャーシと、このローダーシャーシに収容され、一の辺の近辺にて他端を上下に揺動可能なように回動可能に支持されると共に、同他端の辺にはカム機構を構成するレバーシフトが形成されたトラバースアッシーと、上記ローダーシャーシに対してスライド可能に支持されると共に、上記レバーシフトと係合して上記カム機構を構成するカムスライダと、上記トラバースアッシーにてダンパを介して支持される光ドライブユニットとからなり、上記カムスライダの往復動動作により上記レバーシフトは鉛直方向に上下動し、上記トラバースアッシーを、その一端を回動軸として、水平状態のチャッキング状態と、これよりも下がった斜めの傾斜状態の開放状態との間で往復動動作させる光ディスクドライブ装置であって、上記レバーシフトが上昇移動してチャッキング完了する際に、上記ローダーシャーシと上記レバーシフトとがガイド機構を介して同レバーシフトを上記回動軸と反対の側に引き込み動作させる構成としてある。
【０００７】
上記構成において、上面が開口する薄箱形のローダーシャーシには、ダンパを介して光ドライブユニットを支持するトラバースアッシーが収容されている。同トラバースアッシーは、一の辺の近辺にて他端を上下に揺動可能なように回動可能に支持されており、同他端の辺にはカム機構を構成するレバーシフトが形成されている。
そして、カムスライダが上記ローダーシャーシに対して往復動されると、カム機構を介して上記レバーシフトは鉛直方向に上下動し、上記トラバースアッシーはその一端を回動軸として回動し、水平状態のチャッキング状態と、これよりも下がった斜めの傾斜状態の開放状態との間で往復動動作する。
【０００８】
さらに、上記ローダーシャーシと上記レバーシフトとの間のガイド機構により、上記レバーシフトが上昇移動してチャッキング完了する際に、同レバーシフトを上記回動軸と反対の側に引き込み動作させる。
以上のようなカム機構とガイド機構のより具体的な構成として、上記レバーシフトは、上記カム機構の一方として上記回動軸の側と反対の側に向けて突出するボスを有し、上記カムスライダは、鉛直方向の鉛直壁面を有し、上記鉛直壁面を上記レバーシフトに対面して平行に直線移動可能であり、かつ、同鉛直壁面には上記ボスにて貫通される上記カム機構の他方としてのカム溝が形成され、同カム溝は一端にて上記鉛直壁面の下部側に位置し、同位置より斜めに上方に傾斜して形成され、最上位置にて略水平となるように形成され、上記ガイド機構は、上記ボスの先端にはボス側リブを形成するとともに、上記ローダーシャーシの側には同ボス側リブに対応するローダー側リブを形成し、上記レバーシフトが上昇する際に最上位置の手前でボス側リブとローダー側リブとが、いずれかあるいは両方に設けた傾斜面で当接し始め、上記レバーシフトが上昇する際に最上位置に至る過程でボス側リブとローダー側リブとが傾斜面での摺動動作により、同レバーシフトを引き込み動作させる構成としても良い。
【０００９】
すなわち、カム機構としては、上記レバーシフトに上記回動軸の側と反対の側に向けて突出するボスを形成してあり、上記カムスライダの鉛直方向の鉛直壁面に形成されたカム溝を貫通している。同カム溝の一端は上記鉛直壁面の下部側に位置し、同位置より斜めに上方に傾斜し、最上位置にて略水平となるように形成されているので、カムスライダが上記鉛直壁面を上記レバーシフトに対面して平行に直線移動させると、ボスがカム溝に沿って上下動する。
【００１０】
また、ガイド機構としては、互いに傾斜面で当接するようにしたボスの先端のボス側リブとローダーシャーシの側のローダー側リブとが形成してあり、上記レバーシフトが上昇する際に最上位置の手前でボス側リブとローダー側リブとが同傾斜面で当接し始め、上記レバーシフトが上昇する際に最上位置に至る過程で傾斜面での摺動動作により、同レバーシフトを引き込み動作させる。
さらに、引き込み動作完了後、ボス側リブとローダー側リブとは互いに鉛直面同士で対面するように構成しても良い。
【００１１】
引き込み動作完了後も傾斜面同士が対面していると、引き込み動作と反対向きの外力が作用してしまったときに抗しきれない。しかし、ボス側リブとローダー側リブとが互いに鉛直面同士で対面すると、このような外力に十分に抗しきれる。
ボスとカム溝の対として、ボスは二本形成され、カム溝も対応して二つ形成され、上記ボス側リブとローダー側リブが互いに傾斜面で当接するのは、二本あるボスのうち一方でのみ行われるように構成しても良い。
【００１２】
カム機構の安定動作のため、上記ボスは二本形成され、上記カム溝も対応して二つ形成されることは望ましい。しかし、傾斜面の摺動動作を同時に行おうとすると、同期がずれることで意図しない不安定さを招くこともある。このため、上記ボス側リブとローダー側リブが互いに傾斜面で当接するのは、二本あるボスのうち一方でのみ行われるようにして、この対策とすることができる。
ところで、引き込み動作を必要とする構成として、上記レバーシフトは、上記ボスの突出方向と直交する方向であって上記回動軸と平行な方向にスライド突起を突出して形成され、  上記ローダーシャーシは、同スライド突起を受け入れつつ同スライド突起の上下動を許容するスライド溝が形成され、同スライド溝には、上記レバーシフトが最上位置となった時に上記スライド突起を載置可能な棚部が形成され、上記レバーシフトが上記引き込み動作することで上記スライド突起が上記棚部に載置されるように構成しても良い。
【００１３】
ボスの突出方向をトラバースアッシーの前後方向とすると、幅方向にレバーシフトからスライド突起が突出し、ローダーシャーシの側にはこれを受け入れるスライド溝を形成する。これにより、ローダーシャーシは同スライド突起を受け入れつつ同スライド突起の上下動を許容する。ここで、同スライド溝に、上記レバーシフトが最上位置となった時に上記スライド突起を載置可能な棚部が形成しておけば、上記レバーシフトが上記引き込み動作することで上記スライド突起が上記棚部に載置されるので、トラバースアッシーを介してレバーシフトを押し下げようとする力に十分に抗することができる。すなわち、トラバースアッシーを安定して支持できるようにロックすることができる。
【００１４】
さらに、上記スライド溝は、ローダーシャーシに形成した当該ローダーシャーシの固定部位の近辺に形成されるように構成しても良い。
トラバースアッシーがローダーシャーシに保持されるとしても、ローダーシャーシが最も安定している部分で保持するのが好ましいことは理解できる。そのような場所としてはローダーシャーシの固定部位の近辺であるので、上記スライド溝をこの近辺に形成する。
さらに、上述した統合として、上面が開口する薄箱形のローダーシャーシと、このローダーシャーシに収容され、一の辺の近辺にて他端を上下に揺動可能なように回動可能に支持されると共に、同他端の辺にはカム機構を構成するレバーシフトが形成されたトラバースアッシーと、上記ローダーシャーシに対してスライド可能に支持されると共に、上記レバーシフトと係合して上記カム機構を構成するカムスライダと、上記トラバースアッシーにてダンパを介して支持される光ドライブユニットとからなり、上記カムスライダの往復動動作により上記レバーシフトは鉛直方向に上下動し、上記トラバースアッシーを、その一端を回動軸として、水平状態のチャッキング状態と、これよりも下がった斜めの傾斜状態の開放状態との間で往復動動作させる光ディスクドライブ装置であって、上記レバーシフトは、上記カム機構の一方として上記回動軸の側と反対の側に向けて突出するボスを有し、上記カムスライダは、鉛直方向の鉛直壁面を有し、上記鉛直壁面を上記レバーシフトに対面して平行に直線移動可能であり、かつ、同鉛直壁面には上記ボスにて貫通される上記カム機構の他方としてのカム溝が形成され、同カム溝は一端にて上記鉛直壁面の下部側に位置し、同位置より斜めに上方に傾斜して形成され、最上位置にて略水平となるように形成され、上記レバーシフトが上昇移動してチャッキング完了する際に、上記ローダーシャーシと上記レバーシフトとがガイド機構を介して同レバーシフトを上記回動軸と反対の側に引き込み動作させるにあたり、上記ガイド機構は、上記ボスの先端にはボス側リブを形成するとともに、上記ローダーシャーシの側には同ボス側リブに対応するローダー側リブを形成し、上記レバーシフトが上昇する際に最上位置の手前でボス側リブとローダー側リブとが、いずれかあるいは両方に設けた傾斜面で当接し始め、上記レバーシフトが上昇する際に最上位置に至る過程でボス側リブとローダー側リブとが傾斜面での摺動動作により、同レバーシフトを引き込み動作させ、引き込み動作完了後、ボス側リブとローダー側リブとは互いに鉛直面同士で対面し、かつ、上記ボスは二本形成され、上記カム溝も対応して二つ形成され、上記ボス側リブとローダー側リブが互いに傾斜面で当接するのは、二本あるボスのうち一方でのみ行われ、上記レバーシフトは、上記ボスの突出方向と直交する方向であって上記回動軸と平行な方向にスライド突起を突出して形成され、上記ローダーシャーシは、同スライド突起を受け入れつつ同スライド突起の上下動を許容するスライド溝が形成され、同スライド溝には、上記レバーシフトが最上位置となった時に上記スライド突起を載置可能な棚部が形成され、上記レバーシフトが上記引き込み動作することで上記スライド突起が上記棚部に載置され、上記スライド溝は、ローダーシャーシに形成した当該ローダーシャーシの固定部位の近辺に形成されている構成としても良い。
【発明の効果】
【００１５】
本発明によれば、部品の追加をすることなく既存の部品形状／配置の変更だけでの対応が可能で、トラバースアッシーの昇降中は負荷とならず、チャッキング完了直前に昇降の動作力を利用して引き込み動作を完了させることができる。
さらに、この引き込み動作でレバーシフトをロック状態にすることも可能となる。その結果、位置／姿勢の安定化が行え、落下時の衝撃にも効果がある。
【図面の簡単な説明】
【００１６】
【図１】光ディスクドライブ装置の概略構成および配置を示す模式図である。
【図２】トラバースアッシーが上昇途中の場合のガイド機構を構成するボス側リブとローダー側リブの対面状況を示す図である。
【図３】トラバースアッシーが最上位置の水平部分に移動した時のガイド機構を構成するボス側リブとローダー側リブの対面状況を示す図である。
【図４】スライド溝内でのスライド突起の移動状況を示す図である。
【図５】トラバースアッシーが上昇途中の場合のカム機構の係合状態を示す図である。
【図６】トラバースアッシーが最上位置の水平部分に移動した時のカム機構の係合状態を示す図である。
【発明を実施するための形態】
【００１７】
以下、図面にもとづいて本発明の実施形態を説明する。
図１は、本発明の一実施形態にかかる光ディスクドライブ装置の概略構成および配置を模式的に示す図である。
同図において、便宜上、図面の下方左側を前方、下方右側を右側、上方右側を後方、上方左側を左側と呼ぶことにする。なお、図面の上方は上方、図面の下方は下方と呼ぶ。
ローダーシャーシ１０は上面が開口する薄箱形の形状となっている。トラバースアッシー２０は、このローダーシャーシ１０に収容され、後方側の辺の近辺にて前方側の他端を上下に揺動可能なように回動可能にローダーシャーシ１０にて支持されると共に、同他端の一辺の近辺にはカム機構を構成するレバーシフト３０が備えられている。
【００１８】
また、ローダーシャーシ１０の内部における前方側は浅底となっており、同浅底部分が水平支持壁面１１となっている。また、前面の壁面と平行となるように同水平壁面の後方端部から下方に鉛直支持壁面１２が形成されている。このローダーシャーシ１０の水平支持壁面１１と鉛直支持壁面１２とに接するように、カムスライダ４０も、水平方向の水平壁面４１と鉛直方向の鉛直壁面４２とを有しており、水平支持壁面１１と鉛直支持壁面１２に接しながらスライド可能に支持されている。
【００１９】
ここで、カムスライダ４０とレバーシフト３０とは互いに係合してカム機構を構成している。すなわち、カムスライダ４０が往復動動作すると、カム機構を介してレバーシフト３０は鉛直方向に上下動し、トラバースアッシー２０を、その後端を回動軸として、水平状態のチャッキング状態と、これよりも下がった斜めの傾斜状態の開放状態との間で往復動動作させる。
なお、トラバースアッシー２０には光ドライブユニット５０が支持されており、チャッキング状態となった時に、装着された光ディスクを駆動し、かつ、読み取りや書き取りなどの動作を行う。また、トラバースアッシー２０自体は、ダンパとなる部材を介してローダーシャーシ１０とレバーシフト３０とで支持される。
【００２０】
レバーシフト３０は、上記カム機構の一方として上記回動軸の側と反対の側に向けて突出するボス３１ａ，３１ｂを有している。カム機構の他方の側となるカムスライダ４０は、鉛直壁面４２を同レバーシフト３０に対面して平行に左右に直線移動可能であり、かつ、同鉛直壁面４２には上記ボス３１にて貫通されるカム溝４３ａ，４３ｂが形成されている。すなわち、凸部材としてのボス３１（３１ａ，３１ｂ）と、凹部材としてのカム溝４３（４３ａ，４３ｂ）とにより、カム機構を構成している。
【００２１】
カム溝４３ａ，４３ｂは、一端の最下部４３ａ１，４３ｂ１が鉛直壁面４２の下部側に位置し、同位置より斜めに上方に傾斜する傾斜部４３ａ２，４３ｂ２を有し、最上位置にて略水平部分である水平部４３ａ３，４３ｂ３を有している。従って、カムスライダ４０が移動すると、最初に最下部４３ａ１，４３ｂ１を貫通していたボス３１ａ，３１ｂは、傾斜部４３ａ２，４３ｂ２に入り込み、その傾斜に沿って上方に持ち上げられ、水平部４３ａ３，４３ｂ３に入って最上位置に移動される。また、カムスライダ４０が逆に移動すると、ボス３１ａ，３１ｂこの経路を逆に辿り、水平部４３ａ３，４３ｂ３の最上位置から傾斜部４３ａ２，４３ｂ２に沿って徐々に下方に移動し、最下部４３ａ１，４３ｂ１に至って最下位置に移動される。
【００２２】
また、ローダーシャーシ１０の鉛直支持壁面１２は、カムスライダ４０の鉛直壁面４２に当接して支持するとともに、上記ボス３１ａ，３１ｂの突出位置に対応した鉛直方向のスリット１２ａ，１２ｂが形成されている。レバーシフト３０のボス３１ａ，３１ｂは、カムスライダ４０のカム溝４３ａ，４３ｂを貫通しつつ、このスリット１２ａ，１２ｂ内に入りこみ、同カム溝４３ａ，４３ｂにて上下に駆動され、左右方向においてスリット１２ａ，１２ｂにて動作範囲を制限されている。
【００２３】
図２は、トラバースアッシーが上昇途中の場合のガイド機構を構成するボス側リブとローダー側リブの対面状況を示し、図３はトラバースアッシーが最上位置に移動した時のガイド機構を構成するボス側リブとローダー側リブの対面状況を示している。
同図に示すように、二本のボス３１ａ，３１ｂのうち一方のボス３１ａの先端にはボス側リブ３１ａ１が形成されている。このボス側リブ３１ａ１は横方向から見た時に三角形となっており、前面側がほぼ鉛直方向の壁面となっており、頂点から後方側下方に下る傾斜面３１ａ１ａを有している。また、この傾斜面３１ａ１ａの終端近くには後方に向けて凹部３１ａ２を形成してあり、同凹部３１ａ２の壁面はほぼ鉛直方向となっている。なお、ボス３１ｂの側にはボス側リブ３１ａ１は形成されていないが、凹部３１ａ２とほぼ同様の凹部３１ｂ２は形成されている。
【００２４】
ボス側リブ３１ａ１に対面するようにローダーシャーシ１０のスリット１２ａの上部にはローダー側リブ１２ａ１が形成されている。ローダー側リブ１２ａ１はスリット１２ａの上部から下方に突き出るような形状となっており、先端は略三角形となっている。同三角形は後方側に鉛直方向の壁面を有し、前方側に傾斜面１２ａ１ａを有している。その傾斜面１２ａ１ａはボス側リブ３１ａ１の上記傾斜面３１ａ１ａと平行な向きとなっており、ボス３１ａが上昇移動した時に両方の傾斜面３１ａ１ａ，１２ａ１ａが対面し、当接し、摺動することにより、ボス３１を前方側、すなわち、トラバースアッシー２０の回動軸と反対の側に引き込み動作させる。なお、本実施形態においては、ボス側リブ３１ａ１とローダー側リブ１２ａ１の両方に傾斜面３１ａ１ａ，１２ａ１ａを形成しているが、いずれか一方だけでも良い。
【００２５】
そして、引き込み動作に伴ってローダー側リブ１２ａ１の先端は凹部３１ａ２に入り込んでいき、引き込み動作完了後は、それぞれの傾斜面３１ａ１ａ，１２ａ１ａに続く僅かな鉛直方向の壁面同士（鉛直面同士）が対面するようになる。
一方、スリット１２ｂの側には上記ローダー側リブ１２ａ１よりも短く、上記三角形部分がないローダー側リブ１２ｂ１が形成されており、引き込み動作完了後にローダー側リブ１２ｂ１の先端が凹部３１ｂ２に入り込んみ、僅かな鉛直方向の壁面同士が対面するようになる。
【００２６】
図４はスライド溝内でのスライド突起の移動状況を示す図である。
レバーシフト３０の幅方向、すなわち、上記ボス３１ａ，３１ｂの突出方向と直交する方向であって上記回動軸と平行な方向の両側からは外方に向けてスライド突起３２ａ，３２ｂが突出している。同スライド突起３２ａ，３２ｂの断面形状は概ね縦長の長方形となっている。
一方、ローダーシャーシ１０の側には同スライド突起を受け入れつつ同スライド突起３２ａ，３２ｂの上下動を許容するスライド溝１３ａ，１３ｂが形成されている。このスライド溝１３ａ，１３ｂは、概ね鉛直方向に形成され、ローダーシャーシ１０の内側方向と上面方向が開口する溝として形成されている。従って、上記スライド突起３２ａ，３２ｂの前面と後面と側面とを囲い込み、上下方向への移動は許容する構造である。また、上記レバーシフト３０が最上位置となった時点でのスライド突起３２ａ，３２ｂを載置可能な棚部１３ａ１，１３ｂ１が形成され、上記レバーシフト３０が引き込み動作することで両スライド突起３２ａ，３２ｂが上記棚部１３ａ１，１３ｂ１に載置される。なお、棚部１３ａ１，１３ｂ１の下方はスライド突起３２ａ，３２ｂが上昇移動する際になだらかに後方に押し戻すような傾斜面となっている。
なお、スライド溝１３ａ，１３ｂはローダーシャーシ１０の内側に形成されているが、相対するローダーシャーシ１０の外側には、当該ローダーシャーシ１０を機器に固定するための固定用フランジ１４が形成されている。すなわち、スライド溝１３ａ，１３ｂはローダーシャーシ１０の固定部位の近辺に形成されている。
【００２７】
なお、図１は本光ディスクドライブ装置を模式的に示しており、上記カムスライダ４０を左右に駆動するメカニカル機構や、光ディスクを載置するトレイおよびその駆動機構などを図示していない。
次に、上記構成からなる本実施形態の動作を説明する。
：部品組付
まず、ローダーシャーシ１０にカムスライダ４０を組み付け、レバーシフト３０のボス３１ａ，３１ｂ（二本）をカムスライダ４０のカム溝４３ａ，４３ｂを介してローダーシャーシ１０のスリット１２ａ，１２ｂに挿入する。
【００２８】
トラバースアッシー２０に図示しない前側ダンパー２コを取り付け、同ダンパー２コをレバーシフト３０の図示しないボスに嵌め込み、ビス止めを行う。後側はトラバースアッシー２０に取り付けた図示しないダンパー２コをローダーシャーシ１０の図示しないボスに嵌め込みビス止めを行う。
この基本構成により、トラバースアッシー２０はローダーシャーシ１０に収容され、後端側の回動軸を支軸として前端側をレバーシフト３０と共に上下動可能となり、同レバーシフト３０自体はボス３１ａ，３１ｂとカム溝４３ａ，４３ｂからなるカム機構を介してカムスライダ４０に連結する。
【００２９】
：基本動作説明
図示しないＤＣモータの駆動によって図示しないトレイギアがカムスライダ４０を左右に移動させる。すると、カムスライダ４０のカム溝４３ａ，４３ｂとローダーシャーシ１０のスリット１２ａ，１２ｂに挿入されたレバーシフト３０のボス３１ａ，３１ｂからなるカム機構により、レバーシフト３０が上下に動作する。
レバーシフト３０が上下に動作すると、ダンパーとビスによってアッシーされたトラバースアッシー２０も上下に動作する。すなわち、水平状態のチャッキング状態と傾斜状態の開放状態との間で往復動動作する。
【００３０】
ここで図５は、トラバースアッシー２０が上昇移動途中の場合のカム機構の係合状態を示している。
同図に示すように、ボス３１ａは光ディスクの開放状態においてカム溝４３ａにおける最下部４３ａ１に位置している。しかし、上記操作を経てカムスライダ４０が右方から左方に移動し始めると、カム溝４３ａにおける傾斜部４３ａ２に入り込む。傾斜部４３ａ２では、その開口端部がボス３１ａの下部（より正確には底側の左端の角）に当接し、傾斜に沿って同ボス３１ａを徐々に上方に押し上げることになる。なお、もう一方のボス３１ｂとカム溝４３ｂにおいても同期して同じ動作を行っている。
【００３１】
図６は、トラバースアッシー２０のボス３１ａが最上位置に移動した時のカム機構の状態を示している。
カムスライダ４０が左方に移動し、カム溝４３ａの上側の水平部４３ａ３までボス３１ａが入り込んでレバーシフト３０を持ち上げると、トラバースアッシー２０はチャッキング完了となる。
：引き込み動作の詳細説明
図５に示すように、チャッキング動作でレバーシフト３０が下から上へ移動をしていくと、図２に示すように、レバーシフト３０のボス側リブ３１ａ１はローダーシャーシ１０のローダー側リブ１２ａ１に近づいていく。しかし、この時点ではまだ両者は接触しておらず、互いの傾斜面３１ａ１ａ，１２ａ１ａが近接してきた状態である。なお、傾斜面ゆえにＣ面とも呼べる。
【００３２】
しかし、チャッキング完了直前の過程である最上位置の手前で両傾斜面３１ａ１ａ，１２ａ１ａは当接し、さらにレバーシフト３０は押し上げられるので、固定されているローダーシャーシ１０のローダー側リブ１２ａ１は移動できず、トラバースアッシー２０に対してダンパを介して接続されているレバーシフト３０の側であるボス側リブ３１ａ１が傾斜面の摺動動作によって前方側に引き込み動作される。
そして、傾斜面３１ａ１ａ，１２ａ１ａ同士の接触が無くなると再度上方向の移動だけに変わり、両傾斜面３１ａ１ａ，１２ａ１ａに続くボス側リブ３１ａ１とローダー側リブ１２ａ１の鉛直面同士が向き合う位置関係となる。このように鉛直面同士が向き合っているので、前後方向はレバーシフト３０とローダーシャーシ１０との間でロックされる。この状態を図３に示している。
【００３３】
もう一方のボス３１ｂについては、上述したようにボス側リブ３１ａ１が形成されておらず、引き込み動作には関与しない。しかし、ローダー側リブ１２ｂ１が凹部３１ｂ２に入り込んで垂直面同士が向き合う位置関係となるので、チャッキング後のロック効果は同様となる。
これと平行して、図４に示すように、レバーシフト３０が最下位置にあるときスライド突起３２ａ，３２ｂはスライド溝１３ａ，１３ｂの最下部に位置している。しかし、レバーシフト３０が上昇して行くにつれ、スライド突起３２ａ，３２ｂはスライド溝１３ａ，１３ｂ内を上方に移動していく。このとき、当初はスライド溝１３ａ，１３ｂ内部の棚部１３ａ１，１３ｂ１の下方に形成された傾斜面により、上昇するにつれてスライド突起３２ａ，３２ｂはなだらかに後方に押し戻される。この押し戻しにより、上述した引き込み動作を相殺して初期位置に移動させることになる。
【００３４】
そして、レバーシフト３０が最上位置となる直前で引き込み動作が行われ、連続的な動作でスライド突起３２ａ，３２ｂは棚部１３ａ１，１３ｂ１に続く傾斜面を乗り越え同棚部１３ａ１，１３ｂ１に載置される。一旦、スライド突起３２ａ，３２ｂが棚部１３ａ１，１３ｂ１に載置されると、レバーシフト３０は両者を介して最上位置にて安定して支持される。特に、スライド溝１３ａ，１３ｂは当該ローダーシャーシ１０を機器に固定せしめる固定部位である固定用フランジ１４の近辺であるので、安定度は他の場所よりも良いと言える。
：引き込み用のリブが片側の理由
引き込み用のリブが２つあると、レバーシフト３０が傾いたりした場合、傾斜面３１ａ１ａ，１２ａ１ａの接触タイミングが複雑となり、動作中の姿勢をかなり規制しなければならなかった。しかし、実験の結果、引き込み用のリブを１本としても十分な効果があることが確認できたため、１本としている。
【００３５】
なお、チャッキング状態から開放状態へ移行する時には、カムスライダ４０は右方に移動し、上述したのと逆の動作でレバーシフト３０が下がっていく。
このように、トラバースアッシー２０を昇降させる部品であるレバーシフト３０において、チャッキング後の位置／姿勢保持を部品の追加をせずに行い、昇降中は負荷とならない構造となっている。
この結果、部品の追加をすることなく既存の部品形状／配置の変更だけでの対応が可能で、トラバースアッシーの昇降中は負荷とならず、チャッキング完了直前に昇降の動作力を利用しレバーシフトをロック状態にすることが可能となる。その結果、位置／姿勢の安定化が行え、落下時の衝撃にも効果がある。
【００３６】
従来の構造は、組み立て方法や構造の違いによりレバーシフトの片側でしかロック効果のある形状ができず、後方への負荷に対してトラバースアッシーを保持できる構造にはなっていなかった。このために落下時の衝撃などに対し、摺動用ボスのロックは片側のみであった。本発明では両側でこのような支持が可能となる。
【００３７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３８】
１０…ローダーシャーシ、１１…水平支持壁面、１２…鉛直支持壁面、１２ａ，１２ｂ…スリット、１２ａ１，１２ｂ１…ローダー側リブ、１２ａ１ａ…傾斜面、１３ａ，１３ｂ…スライド溝、１３ａ１，１３ｂ１…棚部、１４…固定用フランジ、２０…トラバースアッシー、３０…レバーシフト、３１，３１ａ，３１ｂ…ボス、３１ａ１…ボス側リブ、３１ａ１ａ…傾斜面、３１ａ２，３１ｂ２…凹部、３２ａ，３２ｂ…スライド突起、４０…カムスライダ、４１…水平壁面、４２…鉛直壁面、４３，４３ａ，４３ｂ…カム溝、４３ａ１，４３ｂ１…最下部、４３ａ２，４３ｂ２…傾斜部、４３ａ３，４３ｂ３…水平部、５０…光ドライブユニット。
【図１】
2011129235.tif 000003
【図２】
2011129235.tif 000004
【図３】
2011129235.tif 000005
【図４】
2011129235.tif 000006
【図５】
2011129235.tif 000007
【図６】
2011129235.tif 000008